(57)【要約】【課題】地震などの際の転倒防止に効果的な家具を提供する。【解決手段】  家具本体８０の上に設置されるベース板３０と、ベース板３０に対して垂直に取り付けられた固定背板１０であって、上下方向１０１に配置された５段の固定穴１１を含む固定背板１０と、固定背板１０に沿って上下方向１０１にスライドさせることにより天井１００との間の距離９９を調整するスライド背板２０であって、５段の固定穴１１のうち２段の固定穴１１が露出可能となり３段目の固定穴１１が非露出となるように開口部２２の上下方向１０１の距離９０が限定されたスリット２１を含むスライド背板２０と、スリット２１の開口部２２を介して露出する固定穴１１にスライド背板２０を固定する固定ユニット５０とを有する転倒防止家具１である。【選択図】図１
2014004340.tif 000002
【特許請求の範囲】
【請求項１】
床と天井との間に水平に設置されるベース板と、
壁と対峙するように前記ベース板に対して垂直に取り付けられた第１の背板であって、上下方向に互いに第１の距離を隔てて配置されたｍ段の第１の穴を含む第１の背板と、
前記第１の背板に沿って上下方向に移動させることにより前記天井との間の距離を調整する第２の背板であって、前記ｍ段の第１の穴のうちｎ段の第１の穴が露出可能となりｎ＋１段目の第１の穴が非露出となるように開口部の上下方向の距離が限定されたスリットを含む第２の背板と、
前記スリットの前記開口部を介して露出する第１の穴に前記第２の背板を固定する固定ユニットとを有する転倒防止家具。ただし、前記ｍは２以上の整数であり、前記ｎは１以上の整数であり、前記ｎは前記ｍよりも小さい。
【請求項２】
請求項１において、
前記第２の背板の下端が前記ベース板の上面と対峙するように前記第１の背板の下端が前記ベース板の上面に対して取り付けられている、転倒防止家具。
【請求項３】
請求項１または２において、
前記第２の背板は、前記第１の背板と前記壁との間に配置されている、転倒防止家具。
【請求項４】
請求項１ないし３のいずれかにおいて、
前記開口部は、前記第２の背板の上端よりも下端の側に配置されている、転倒防止家具。
【請求項５】
請求項１ないし４のいずれかにおいて、
前記ｍ段の第１の穴のそれぞれは非貫通状であり、
前記固定ユニットは、前記ｍ段の第１の穴のそれぞれに埋め込まれたインサートナットを含む、転倒防止家具。
【請求項６】
請求項１ないし５のいずれかにおいて、さらに、
前記第２の背板の左端と右端とをガイドする一組のガイド板であって、前記ベース板と前記第１の背板とを直角に連結する一組のガイド板を有する、転倒防止家具。
【請求項７】
請求項１ないし６のいずれかにおいて、さらに、
前記天井に当てることにより前記天井に対して平行に配置されるように前記第２の背板に対して傾き可能に支持された受け板を有する、転倒防止家具。
【請求項８】
請求項１ないし７のいずれかにおいて、
前記ｎは２である、転倒防止家具。
【発明の詳細な説明】
【技術分野】
【０００１】
本発明は、転倒防止家具に関するものである。
【背景技術】
【０００２】
特許文献１には、地震などの場合に家具が転倒しないようにした家具を提供し、転倒防止手段を家具自体に設けて紛失しにくいようにし、更に転倒防止手段の設置時にも部屋の壁面等を傷つけることがないようにした家具を提供することが記載されている。そのため、特許文献１には、左右両側に側板を、上部に天板を備え、天板の正面から見て天板の左右両側板側には支脚を挿通させる四角形状の挿通孔が設けてあり、挿通孔に断面四角形状の支脚が昇降可能に嵌挿してあり、支脚の上端には当接板が設けてあり、支脚の側面には長さ方向に所要数の止め穴が設けてある家具本体が記載されている。
【先行技術文献】
【特許文献】
【０００３】
【特許文献１】特開平８−２１４９７２号公報
【発明の概要】
【発明が解決しようとする課題】
【０００４】
地震などの際の転倒防止に効果的な家具が求められている。
【課題を解決するための手段】
【０００５】
本発明の態様の１つは、床と天井との間に水平に設置されるベース板と、壁と対峙するようにベース板に対して垂直に取り付けられた第１の背板であって、上下方向に互いに第１の距離を隔てて配置されたｍ段の第１の穴を含む第１の背板と、第１の背板に沿って上下方向に移動させることにより天井との間の距離を調整する第２の背板であって、ｍ段の第１の穴のうちｎ段の第１の穴が露出可能となりｎ＋１段目の第１の穴が非露出となるように開口部の上下方向の距離が限定されたスリットを含む第２の背板と、スリットの開口部を介して露出する第１の穴に第２の背板を固定する固定ユニットとを有する転倒防止家具である。ただし、ｍは２以上の整数であり、ｎは１以上の整数であり、ｎはｍよりも小さい。
【０００６】
この転倒防止家具においては、スリットの開口部を介してｎ＋１段の第１の穴を同時に露出させることなく、最多でｎ段の第１の穴を同時に露出させる開口部を上下方向に動かすことによりｎ＋１段目の第１の穴を露出させることができる。このため、第２の背板を第１の背板に沿って上下方向に動かすことにより、ｍ段の第１の穴のそれぞれを切れ目なく連続的に露出させることができる。したがって、ｍ段の第１の穴の全てを露出させる必要がなく、開口部の上下方向の開口距離を短くできる。さらに、開口距離の短い開口部であっても第１の背板に固定する第２の背板の位置を無段階に、フレキシブルに変化させることができる。したがって、第２の背板を所望の位置、たとえば天井に接触あるいは近接する位置において第１の背板に固定することにより転倒を抑制できる。さらに、この転倒防止家具をタンス、棚、仏壇などの家具本体の上に設置し、第２の背板を天井に接触、あるいは第２の背板により天井との間の隙間を減らすことにより、家具本体の転倒も抑制できる。
【０００７】
この転倒防止家具においては、第２の背板の下端がベース板の上面と対峙するように第１の背板の下端がベース板の上面に対して取り付けられていることが望ましい。第１および第２の背板をベース板からはみ出さないように配置できる。このため、ベース板を家具本体の上に設置したとき、第１および第２の背板が家具本体と壁との間に挟まれることがない。したがって、家具本体を壁に密着させた状態で、家具本体の上に転倒防止家具を設置できる。
【０００８】
第２の背板は、第１の背板と壁との間に配置されていることが望ましい。第２の背板のスリットを第１の背板により遮蔽しやすい。このため、第２の背板のスリットがユーザーにより視認される確率を低減できる。さらに、開口部は、第２の背板の上端よりも下端の側に配置されていることが望ましい。第２の背板を第１の背板に沿って上昇させても開口部が表れることを抑制できる。このため、スリットがユーザーの視野に入ることをいっそう抑制できる。さらに、ｍ段の第１の穴のそれぞれは非貫通状であり、固定ユニットは、ｍ段の第１の穴のそれぞれに埋め込まれたインサートナットを含むことが望ましい。第１の背板の片側の面（表面）にナットなどの締結部品が表れることを防止できる。このため、第１の穴や締結部品などがユーザーの視野に入ることを抑制でき、転倒防止家具の美観を向上できる。
【０００９】
この転倒防止家具においては、さらに、第２の背板の左端と右端とをガイドする一組のガイド板であって、ベース板と第１の背板とを直角に連結する一組のガイド板を有することが望ましい。地震などの際に第２の背板が左右方向に脱落することを抑制でき、第１の背板がベース板に対して倒れることも抑制できる。
【００１０】
この転倒防止家具においては、さらに、天井に当てることにより天井に対して平行に配置されるように第２の背板に対して傾き可能に支持された受け板を有することが望ましい。天井との間に隙間を開けることなく受け板をセットしやすい。このため、受け板と天井との接触面積を増加させやすく、転倒防止効果を向上させやすい。
【００１１】
この転倒防止家具においては、ｎは２であることが望ましい。第２の背板を第１の背板に沿って上下方向に動かすことにより、スリットの開口部を介して連続する３段の第１の穴を同時に露出させることなく、最多で隣接する２段の第１の穴を同時に露出させることができる。このため、開口部の上下方向の開口距離を短くしても、最少で１段の第１の穴を連続的に露出させることができる。したがって、開口距離の短い開口部であっても、第２の背板を固定する高さの調整範囲が広い転倒防止家具を提供できる。
【図面の簡単な説明】
【００１２】
【図１】第１の実施形態に係る転倒防止家具の概略構成を示す縦断面図。
【図２】第１の実施形態に係る転倒防止家具を前方から見た斜視図。
【図３】第１の実施形態に係る転倒防止家具を後方から見た斜視図。
【図４】第１の実施形態に係る転倒防止家具を、転倒防止家具を構成する主なパーツに展開して後方から見た斜視図。
【図５】第１の実施形態に係る転倒防止家具のスライド背板を第１の位置にスライドさせた様子を後方から見た図。
【図６】第１の実施形態に係る転倒防止家具のスライド背板を第２の位置にスライドさせた様子を後方から見た図。
【図７】第２の実施形態に係る転倒防止家具のスライド背板を第１の位置にスライドさせた様子を後方から見た図。
【図８】第２の実施形態に係る転倒防止家具のスライド背板を第２の位置にスライドさせた様子を後方から見た図。
【図９】第３の実施形態に係る転倒防止家具のスライド背板を第１の位置にスライドさせた様子を後方から見た図。
【図１０】第４の実施形態に係る転倒防止家具を後方から見た斜視図。
【図１１】第５の実施形態に係る転倒防止家具の概略構成を示す縦断面図。
【図１２】第６の実施形態に係る転倒防止家具の概略構成を示す縦断面図。
【図１３】第７の実施形態に係る転倒防止家具の概略構成を示す縦断面図。
【図１４】第８の実施形態に係る転倒防止家具の概略構成を示す縦断面図。
【図１５】第９の実施形態に係る転倒防止家具の概略構成を示す縦断面図。
【図１６】第１０の実施形態に係る転倒防止家具の概略構成を示す縦断面図。
【図１７】第１１の実施形態に係る転倒防止家具の概略構成を示す縦断面図。
【図１８】第１２の実施形態に係る転倒防止家具の概略構成を示す縦断面図。
【図１９】第１３の実施形態に係る転倒防止家具を前方から見た図。
【図２０】第１３の実施形態に係る転倒防止家具の概略構成を示す縦断面図（図１９のXX−XX断面）。
【図２１】第１４の実施形態に係る転倒防止家具を前方から見た斜視図。
【図２２】第１４の実施形態に係る転倒防止家具の概略構成を示す縦断面図。
【図２３】第１５の実施形態に係る転倒防止家具の概略構成を示す縦断面図。
【図２４】第１５の実施形態に係る転倒防止家具の概略構成を示す横断面図（図２３のXXIV−XXIV断面）。
【発明を実施するための形態】
【００１３】
図１に、本発明の第１の実施形態に係る転倒防止家具の概略構成を縦断面図により示している。この転倒防止家具（転倒防止装置、転倒防止用の家具）１は、家具本体（家具）８０と天井（天井面）１００との間の空間９５に設置された箱型の収納ユニット６０と、収納ユニット６０および壁（壁面）９８の間に挟まれるように配置された上下逆Ｌ字型の高さ調整ユニット７０とを備えている。
【００１４】
収納ユニット６０は、家具本体８０の天板８１の上に水平に設置された平坦なベース板（底板、ベース部材）３０と、壁（壁面）９８と対峙するようにベース板３０に対して垂直に取り付けられた長方形板状の第１の背板（固定背板、本体背板、第１の部材）１０と、ベース板３０および固定背板１０のそれぞれに対して垂直に取り付けられた左右一組の側板３１と、左右一組の側板３１のそれぞれに対して垂直に取り付けられた天板３２および開き戸（扉）３３とを備えている。なお、収納ユニット６０は、本例の開き戸３３の代わりに引き戸としてもよく、引き戸の方が耐震性の点で好ましい。
【００１５】
高さ調整ユニット７０は、固定背板１０の後方１０２ｂの面（裏面、背面）１０ｂに沿って上下方向（鉛直方向）１０１に移動（スライド）させることにより天井１００との間の距離９９を調整する長方形板状の第２の背板（移動背板、スライド背板、第２の部材）２０と、スライド背板２０の上端２５にスライド背板２０に対して垂直に取り付けられたサポート板（受け板）４０とを備えている。
【００１６】
収納ユニット６０の固定背板１０は、上下方向１０１に互いに第１の距離９１を隔てて配置された５段（ｍ段）の第１の穴（固定穴）１１を備えている。高さ調整ユニット７０のスライド背板２０は、開口部２２が上下方向１０１に延びたスリット（縦溝、貫通溝）２１を備えている。この転倒防止家具１は、さらに、スリット２１の開口部２２を介して露出する固定穴１１にスライド背板２０を固定する固定ユニット（固定手段）５０を備えている。本例の固定ユニット５０は、スライド背板２０の後方１０２ｂの面（裏面、背面）２０ｂの側に配置されたプレート５１と、固定背板１０の前方１０２ａの面（表面、正面）１０ａの側に配置されたワッシャー５２と、スライド背板２０の裏面２０ｂとの間にプレート５１を挟んで開口部２２を介して固定穴１１に挿入されたボルト５３と、固定背板１０の表面１０ａとの間にワッシャー５２を挟んでボルト５３と締結されたナット５４とを備えている。なお、固定穴１１および開口部２２は、非貫通状であってもよく、たとえばボルト５３により打ち抜き可能な程度の薄肉状であってもよい。また、本例の固定背板１０およびスライド背板２０は木製であるが、固定背板１０およびスライド背板２０の材質や形状および大きさは本例に限定されない。
【００１７】
この転倒防止家具１では、家具本体８０の上に収納ユニット６０を設置することにより、家具本体８０と天井１００との間の空間９５を収納スペースとして有効に利用できる。さらに、この転倒防止家具１では、固定背板１０に沿ってスライド背板２０を上方１０１ａに押し上げることにより、受け板４０と天井１００との間の距離９９を小さく、すなわち受け板４０と天井１００との間の隙間９９を埋めることができる。このため、スライド背板２０を所望の位置（高さ）、たとえば受け板４０を天井１００に近接させた位置で固定背板１０に固定できる。
【００１８】
地震などにより家具本体８０に対して前後方向１０２の横揺れが発生すると、家具本体８０の前方１０２ａの下端８０ａを支点として家具本体８０を前方１０２ａに転倒させようとするモーメント（転倒モーメント）１１０が発生する可能性がある。この転倒防止家具１では、スライド背板２０が天井１００との間の隙間９９を埋める（減らす）ように天井１００に近接した位置で固定されている。このため、転倒モーメント１１０に対して逆方向のモーメント１２０、すなわち家具本体８０の後方１０２ｂの上端８０ｂの浮き上がりに抵抗するモーメント（抵抗モーメント）１２０を受け板４０およびスライド背板２０を介して家具本体８０に供給できる。したがって、家具本体８０の転倒を抑制できる。
【００１９】
さらに、この転倒防止家具１では、スライド背板２０が、家具本体８０が転倒する際に浮き上がりやすい後方１０２ｂの上端８０ｂの直ぐ上方１０１ａに配置されている。このため、家具本体８０の上端８０ｂの浮き上がりに連動してスライド背板２０も浮き上がるので、転倒モーメント１１０に対抗する抵抗モーメント１２０を受け板４０に対して即座に作用させやすい。さらに、この転倒防止家具１では、スライド背板２０の上端２５に天井１００に対して平行に取り付けられた受け板４０により、天井１００への衝撃を緩和でき、天井１００に損傷を与えることを抑制できる。なお、スライド背板２０は、受け板４０を天井１００に接触させた位置で固定背板１０に固定してもよい。
【００２０】
さらに、この転倒防止家具１では、スライド背板２０が壁９８に沿ってスライドするので、家具本体８０と天井１００との間の空間９５を占有する範囲を小さく（狭く）できる。このため、収納ユニット６０の上方１０１ａに、前方１０２ａおよび／または左右方向１０３から見て視界を遮るような余計な構造物が一切なく、ユーザーへ与える圧迫感を軽減できる。さらに、用途や好みに合わせて、スライド背板２０の表面２０ａに塗装をしたり、壁紙やクロスなどを貼ったり、彫刻をしたりしてもよい。
【００２１】
なお、この転倒防止家具１のサイズの一例は、床（床面）９７から天井１００までの高さが２４０−２６０ｃｍ程度、家具本体８０の高さが１８０−２００ｃｍ程度であるとき、固定背板１０の上下方向１０１の距離は４０−５０ｃｍ程度、スライド背板２０の上下方向１０１の距離は３０−７０ｃｍ程度である。この転倒防止家具１は、高さが１８０−２００ｃｍ程度の大型家具だけでなく、高さが１００−１５０ｃｍ程度の中型家具、さらには高さが３０−６０ｃｍ程度の小型家具にも設置可能である。また、この転倒防止家具１は、家具本体８０の上に設置するだけでなく、床９７の上に設置してスタンドアロンタイプとして用いることも可能である。以降の実施形態においても同様である。
【００２２】
なお、本例の固定背板１０は、ベース板３０の後方１０２ｂの端部（後端）３９と接するようにベース板３０に対して垂直に取り付けられているが、ベース板３０と固定背板１０との接続箇所にＬ型金具（不図示）などを設置して連結強度を補強することもできる。また、ベース部材３０の形状、大きさは本例のような板状部材に限定されず、角材などであってもよい。
【００２３】
図２に、転倒防止家具１を前方１０２ａから見た斜視図により示している。この転倒防止家具１は、さらに、スライド背板２０を上昇および下降させる昇降ユニット（昇降手段）６５を備えている。本例の昇降ユニット６５は、収納ユニット６０の天板３２を上下方向１０１に貫く貫通孔３２ａに埋め込まれるように配置されたナット６６と、ナット６６の内面の溝（不図示）に沿って回転する昇降ボルト６７とを備えている。この転倒防止家具１では、昇降ボルト６７を回転させて上昇させ、受け板４０を押し上げることにより、スライド背板２０を所望の位置に配置できる。このため、昇降ユニット６５によりスライド背板２０をスライドさせた位置を維持したままで、固定ユニット５０によりスライド背板２０を固定背板１０に容易に取り付けることができる。本例の昇降ボルト６７は、スライド背板２０を固定背板１０に固定した後に取り外すことができる。なお、昇降ユニット６５は、本例に限定されず、昇降ユニット６５を設けなくてもよい。
【００２４】
図３に、転倒防止家具１を後方１０２ｂから見た斜視図により示している。この転倒防止家具１は、さらに、固定背板１０の裏面１０ｂの左右方向１０３の両サイド（両側、両端）にスライド背板２０を左右方向１０３から挟むように配置された左右一組のガイド板（遮蔽板、化粧板）３５を備えている。それぞれのガイド板３５は、スライド背板２０が上下方向１０１にスライドする際に、スライド背板２０の左端２７および右端２８のそれぞれをガイドするガイド溝３５ａを備えている。ガイド溝３５ａは、固定背板１０との間にスライド背板２０を後方１０２ｂから挟み込むように形成されており、スライド背板２０の後方１０２ｂへの倒れ（移動）を規制している。このため、この転倒防止家具１では、左右一組のガイド板３５のガイド溝３５ａにより、スライド背板２０の上下方向１０１のスムーズなスライドをサポートでき、地震の際にスライド背板２０が後方向１０２ｂおよび／または左右方向１０３に脱落することも抑制できる。さらに、スライド背板２０が左右方向１０３に剥き出しの状態で露出することも抑制できるので、転倒防止家具１のデザイン性（美観）を向上できる。
【００２５】
なお、ガイド板３５の形状、大きさ、材質は本例に限定されず、本例のように固定背板１０の上端１５から下端１６に達するように配置されていなくてもよく、下端１６よりも上端１５の側に近接して配置されていてもよい。ガイド板３５は、固定背板１０の裏面１０ｂの下半分ではなく、上半分の位置に配置されていてもよい。スライド背板２０を低い位置で固定背板１０に固定した場合、たとえば固定背板１０の下方１０１ｂからの２段の固定穴１１（本例では１１ｄ、１１ｅ）を用いて固定した場合であっても、スライド背板２０の後方１０２ｂへの脱落を効率よく抑制できる。また、本例のガイド板３５を設けずに、左右一組の側板３１（３１ａ、３１ｂ）のそれぞれを固定背板１０に対して若干後方１０２ｂに突き出るように取り付け、それぞれの側板３１にガイド溝を設けるようにしてもよい。また、本例のガイド板３５の代わりにＬ型アングルやＣ型チャンネルなどを用いてガイド溝を設けるようにしてもよい。また、ガイド板３５にガイド溝３５ａを設けなくてもよく、その場合、ガイド板よりも幅広（横広）の板状部材（不図示）をガイド板に後方１０２ｂからネジ止めして、スライド背板２０の脱落を防止するようにしてもよい。板状部材は、ガイド板のそれぞれに１つずつ取り付けられていてもよく、左右一組のガイド板を左右方向１０３に繋ぐように取り付けられていてもよい。板状部材をＬ字型にして、ガイド板だけでなく天板３２にもネジ止めするようにしてもよい。なお、左右一組の側板３１（３１ａ、３１ｂ）のそれぞれを後方１０２ｂに突き出るように形成して、ガイド板を左右方向１０３から遮蔽するようにしてもよい。
【００２６】
図４に、転倒防止家具１を、転倒防止家具１を構成する主なパーツに展開して後方１０２ｂから見た斜視図により示している。固定背板１０は、上方１０１ａから下方１０１ｂに向けて等間隔に、すなわち互いに第１の距離９１を隔てて配置された５段（ｍ段）の固定穴１１ａ〜１１ｅを備えている。最上段の固定穴１１ａは、固定背板１０の上端１５から下方１０１ｂに第２の距離９２を隔てて配置されている。本例では、第１の距離９１は第２の距離９２よりも短い。なお、第２の距離９２を短くすることにより、固定背板１０とスライド背板２０との前後方向１０２に重なる面積を減少させやすく、スライド背板２０の小型化、軽量化、低コスト化を図りやすい。上下方向１０１に連接する５段の固定穴１１ａ〜１１ｅは、左右方向１０３に互いに第３の距離９３を隔てて２列配置されている。本例の固定背板１０は、縦５段（行）、横２列の合計１０個の固定穴１１を備えているが、固定穴１１のレイアウト（配置、配列）および個数は本例に限定されない。また、本例の固定穴１１は円形であるが、楕円形などであってもよく、固定穴１１の形状も本例に限定されない。また、スライド背板２０の固定に使用しない固定穴１１は、シールやキャップなどにより塞ぐようにしてもよい。
【００２７】
スライド背板２０は、横２列の固定穴１１ａ〜１１ｅの列同士の間隔と同じ第３の距離９３を隔てて左右対称に配置された横２列（縦２本）のスリット２１を備えている。それぞれのスリット２１は、上下方向１０１に隣接する２段の固定穴１１、たとえば固定穴１１ａおよび１１ｂ（１１ｂおよび１１ｃ、１１ｃおよび１１ｄ、１１ｄおよび１１ｅ）を露出可能な程度に上下方向１０１の開口の大きさが限定された開口部２２を備えている。さらに、開口部２２は、上下方向１０１に連接する３段の固定穴１１、たとえば固定穴１１ａ〜１１ｃ（１１ｂ〜１１ｄ、１１ｃ〜１１ｅ）のうち、最上段の固定穴１１ａ（１１ｂ、１１ｃ）および最下段の固定穴１１ｃ（１１ｄ、１１ｅ）のいずれかが非露出となるように上下方向１０１の開口の大きさが限定されている。すなわち、開口部２２は、上下方向１０１に連接する３段の固定穴１１のうち、最上段の固定穴１１および最下段の固定穴１１のいずれかをスライド背板２０により遮蔽可能な程度に上下方向１０１の開口の大きさが限定されている。本例のスライド背板２０は、縦１段（行）、横２列の合計２個のスリット２１を備えているが、スリット２１のレイアウトおよび個数は本例に限定されない。また、本例の開口部２２は縦長の扁円形であるが、長方形や楕円形などであってもよく、開口部２２の形状も本例に限定されない。
【００２８】
本例のスリット２１は、５段（ｍ段）の全ての固定穴１１を露出させることなく、隣接する２段（ｎ段）の固定穴１１（たとえば、１１ａおよび１１ｂ）を露出させる一方で、これらに隣接する３段目（ｎ＋１段目）の固定穴１１（たとえば、１１ｃ）は露出させないように開口部２２のサイズ（開口距離）が設計されている。すなわち、本例の開口部２２は、２穴以上３穴未満（ｎ穴以上ｎ＋１穴未満）の固定穴１１を露出可能な程度に上下方向１０１の開口距離９０が短縮化されている。なお、本例では、ｍは５であり、ｎは２である。
【００２９】
さらに、本例の開口部２２は、スライド背板２０の上端２５よりも下端２６の側に近接して配置されている。すなわち、開口部２２の下端２２ｂとスライド背板２０の下端２６との間の距離９０ｂは、開口部２２の上端２２ａとスライド背板２０の上端２５との間の距離９０ａよりも短くなっている。開口部２２は、スライド背板２０の上半分ではなく、下半分の位置に配置されていてもよい。
【００３０】
この転倒防止家具１では、スライド背板２０を固定背板１０と平行に、固定背板１０の裏面１０ｂに沿って（接触させて）上下方向１０１にスライドさせることにより、スリット２１の開口部２２を介して、連続する３つの固定穴１１を同時に露出させることなく、最多で隣り合う２つの固定穴１１を同時に露出させることができ、最少でも１つの固定穴１１を常に露出させることができる。このため、３穴を同時に露出させない程度の開口距離９０の短い開口部２２でありながら、縦に並んだ５段の固定穴１１のそれぞれを切れ目なく（途切れることなく）連続的に露出させることができる。したがって、固定背板１０に固定するスライド背板２０の位置（高さ）を断続的に多段階で変化させるのではなく、連続的に無段階で変化させることができる。このため、家具本体８０の高さや天井１００との間の距離９９などの設置環境に応じて、スライド背板２０をセットする高さを無段階に、フレキシブルに調整できる。したがって、開口距離９０が短い開口部２２であるにも関わらず、高さの調整距離（調整幅、スライド幅）が長い転倒防止家具１を提供できる。
【００３１】
さらに、この転倒防止家具１では、隣接する固定穴１１同士の間隔（第１の距離）９１を短くすることにより、開口部２２の開口距離９０をいっそう短縮化しやすい。このため、スライド背板２０の連続的なスライド調整量を確保しながら、スリット２１の小型化（短縮化）を図りやすく、スライド背板２０の上下方向１０１の距離（高さ）も短くしやすい。したがって、スライド背板２０の上下方向１０１の距離を固定背板１０の上下方向１０１の距離よりも短くでき、さらに、固定背板１０よりも背低のスライド背板２０であっても、高さ調節の選択範囲（調整範囲）が広い転倒防止家具１を提供できる。
【００３２】
さらに、この転倒防止家具１では、スライド背板２０が固定背板１０の裏面１０ｂに沿ってスライドするので、スライド背板２０のスリット２１を固定背板１０により遮蔽しやすい。このため、スライド背板２０のスリット２１がユーザーにより視認される確率を低減できる。さらに、この転倒防止家具１では、開口部２２がスライド背板２０の上端２５よりも下端２６の側に近接して配置されている。このため、スライド背板２０を固定背板１０の裏面１０ｂに沿って上方１０１ａにスライドさせても、開口部２２が固定背板１０の後方１０２ｂに隠れて前方１０２ａに表れることを抑制できる。したがって、収納ユニット６０の上方１０１ａにスリット２１が表れにくく、スリット２１がユーザーの視野に入ることを抑制できる。開口部２２の開口距離９０は、最上段の固定穴１１ａと固定背板１０の上端１５との間隔（第２の距離）９２よりも短く設計されていてもよい。収納ユニット６０の上方１０１ａにスリット２１が表れることを確実に防止できる。なお、この転倒防止家具１は、タンス、クローゼット、本棚、食器棚、キャビネット、ローボード、仏壇などの各種家具の上に設置することが可能であり、収納ユニット６０の上方１０１ａにスリット２１が僅かに表れたとしても、家具本体８０や収納ユニット６０の死角となりやすく、実用上スリット２１を目立ちにくくできる。
【００３３】
さらに、この転倒防止家具１では、開口部２２の開口距離９０が短く、スライド背板２０の全体に対して開口部２２が占める割合（面積）を小さくできるので、固定背板１０の裏面１０ｂとスライド背板２０の表面２０ａとの接触面積を増加させやすい。さらに、スライド背板２０の全体に対して開口部２２が占める割合が小さいので、スライド背板２０の強度が低下することも抑制できる。このため、スライド背板２０の前後方向１０２の板厚を薄くしやすく、軽量化および低コスト化を図りやすい。さらに、スライド背板２０を薄く軽量化させやすいので、スライド背板２０を上下方向１０１にスライドさせて固定する際の労力を軽減させやすく、かつ低重心で安定感のある転倒防止家具１を提供できる。
【００３４】
固定ユニット５０のプレート５１は、全体が縦長の長方形状であり、開口部２２の左右方向１０３の開口の大きさよりも幅広（横広）に形成されている。ボルト５３は、プレート５１を貫通した状態で溶接されている。ワッシャー５２は、全体が縦長の長方形状であり、上下方向１０１の両端が折れ曲がった爪部５２ａを備えている。この転倒防止家具１では、スライド背板２０の裏面２０ｂの側から挿入されたボルト５３に対して、固定背板１０の表面１０ａの側からナット５４を締結することにより、固定背板１０の裏面１０ｂおよびプレート５１が面接触の状態で固定される。このため、地震の際の抵抗モーメント１２０に伴ってスライド背板２０を下方１０１ｂに押し下げようとする外力に対して、スライド背板２０の裏面２０ｂとプレート５１との間の摩擦力により対抗できる。本例のボルト５３は、プレート５１に溶接されて一体化されているので、スライド背板２０の裏面２０ｂの側に手を回してボルト５３を押さえることなく、ボルト５３およびナット５４の供回りを防止でき、固定背板１０の表面１０ａの側からナット５４のみにより容易に締結することができる。なお、固定ユニット５０は、スリット２１の開口部２２を介して露出する固定穴１１にスライド背板２０を固定できるものであればよく、本例に限定されない。
【００３５】
さらに、この転倒防止家具１では、開口部２２の開口距離９０が最多で隣接する２段、最少で１段の固定穴１１を露出可能な程度に短縮化されている。このため、縦５段の固定穴１１ａ〜１１ｅのうちいずれかを用いることにより、連続的に無段階でスライドさせたスライド背板２０を所望の位置で固定背板１０に固定でき、さらに、開口部２２から表れる固定穴１１と開口部２２の上端２２ａとの間の距離を小さくできる。したがって、外力が摩擦力を上回ってスライド背板２０が強制的に下方１０１ｂに押し下げられた場合であっても、開口部２２の開口距離９０が短く、固定穴１１と開口部２２の上端２２ａとの間の距離が短いので、スライド背板２０の下方１０１ｂへの移動距離（降下距離）を著しく短縮できる。このため、スライド背板２０の固定位置をほとんど下げることなく、固定穴１１に挿入されたボルト５３により開口部２２の上端２２ａを支持できる。したがって、プレート５１によるスライド背板２０の抑えが外れた場合であっても、当初のスライド背板２０と天井１００との間の距離９９を維持しやすく、家具本体８０の転倒を２段構えで極めて効果的に抑制できる。
【００３６】
さらに、この転倒防止家具１では、ボルト５３およびナット５４を締結することにより、ワッシャー５２の爪部５２ａが固定背板１０の表面１０ａに食い込むので、固定穴１１に集中しやすい外力を分散させやすく、固定穴１１の損傷も抑制できる。さらに、この転倒防止家具１では、固定穴１１の周囲に補強板（不図示）を設けることにより、ボルト５３を介して固定穴１１周辺に加わる衝撃を緩和するようにしてもよく、スライド背板２０の左端２７および右端２８にアングルやチャンネルを取り付けることにより補強してもよい。
【００３７】
図５に、転倒防止家具１のスライド背板２０を第１の位置にスライドさせた様子を後方１０２ｂから見た図により示している。なお、図５では、固定ユニット５０を省略して示している。第１の位置Ｐ１において、スライド背板２０は、スリット２１の開口部２２を介して露出する２つの固定穴１１ａおよび１１ｂに固定される。本例の転倒防止家具１では、最多で隣接する２段の固定穴１１を同時に露出させることができる。このため、縦５段の固定穴１１ａ〜１１ｅのうち、隣接する２段の固定穴１１ａおよび１１ｂ、１１ｂおよび１１ｃ、１１ｃおよび１１ｄ、１１ｄおよび１１ｅのいずれかを用いることにより、縦２段、横２列の合計４個の固定穴１１でスライド背板２０を固定背板１０に強固に固定できる。
【００３８】
なお、本例では、最多で隣り合う２つの固定穴１１を同時に露出させることができるように開口部２２の開口距離９０が設定されているが、隣り合う２つの固定穴１１が開口部２２を介して露出するように、隣接する固定穴１１同士の間隔（第１の距離）９１を設定してもよい。また、本例では、連続する３つの固定穴１１を同時に露出させないように開口部２２の開口距離９０が設定されているが、連続する３つの固定穴１１のうち、最上段の固定穴１１および最下段の固定穴１１のいずれかが開口部２２を介して非露出となるように、隣接する固定穴１１同士の間隔（第１の距離）９１を設定してもよい。
【００３９】
図６に、転倒防止家具１のスライド背板２０を第２の位置にスライドさせた様子を後方１０２ｂから見た図により示している。なお、図６では、固定ユニット５０を省略して示している。第２の位置Ｐ２において、スライド背板２０は、スリット２１の開口部２２を介して露出する１つの固定穴１１ａに固定される。本例の転倒防止家具１では、最少でも１つの固定穴１１を常に露出させることができる。このため、２穴以上３穴未満の固定穴１１を露出可能な程度に短縮化（小型化）された開口部２２でありながら、縦５段の固定穴１１ａ〜１１ｅの全てを連続的に無段階で利用でき、固定穴１１同士の間隔（第１の距離）９１の段数倍以上、本例では５倍以上の高さ調整幅（スライド幅、スライド量）を確保できる。
【００４０】
なお、本例では、最少でも１つの固定穴１１を露出させることができるように開口部２２の開口距離９０が設定されているが、少なくとも１つの固定穴１１が開口部２２を介して露出するように、隣接する固定穴１１同士の間隔（第１の距離）９１を設定してもよい。
【００４１】
図７に、第２の実施形態に係る転倒防止家具１ａのスライド背板２０を第１の位置にスライドさせた様子を後方１０２ｂから見た図により示している。図８に、転倒防止家具１ａのスライド背板２０を第２の位置にスライドさせた様子を後方１０２ｂから見た図により示している。なお、図７および図８では、固定ユニット５０を省略して示している。本例の固定背板１０は、上方１０１ａから下方１０１ｂに向けて等間隔に、すなわち互いに第１の距離９１を隔てて配置された１０段の固定穴１１ａ〜１１ｊを備えている。
【００４２】
第１の位置Ｐ１において、スライド背板２０は、スリット２１の開口部２２を介して露出する３つの固定穴１１ｆ〜１１ｈに固定される。第２の位置Ｐ２において、スライド背板２０は、スリット２１の開口部２２を介して露出する２つの固定穴１１ｆおよび１１ｇに固定される。
【００４３】
本例のスリット２１は、上下方向１０１に連接する３段の固定穴１１、たとえば固定穴１１ｆ〜１１ｈを露出可能な程度に上下方向１０１の開口の大きさが限定された開口部２２を備えている。さらに、開口部２２は、上下方向１０１に連接する４段の固定穴１１、たとえば固定穴１１ｅ〜１１ｈのうち、最上段の固定穴１１ｅおよび最下段の固定穴１１ｈのいずれかが非露出となるように上下方向１０１の開口の大きさが限定されている。すなわち、開口部２２は、上下方向１０１に連接する４段の固定穴１１のうち、最上段の固定穴１１および最下段の固定穴１１のいずれかをスライド背板２０により遮蔽可能な程度に上下方向１０１の開口の大きさが限定されている。
【００４４】
本例のスリット２１は、１０段（ｍ段）の全ての固定穴１１を露出させることなく、連接する３段（ｎ段）の固定穴１１（たとえば、１１ｆ〜１１ｈ）を露出させる一方で、これらに隣接する４段目（ｎ＋１段目）の固定穴１１（たとえば、１１ｅ）は露出させないように開口部２２のサイズが設計されている。すなわち、本例の開口部２２は、３穴以上４穴未満（ｎ穴以上ｎ＋１穴未満）の固定穴１１を露出可能な程度に上下方向１０１の開口距離９０が短縮化されている。なお、本例では、ｍは１０であり、ｎは３である。
【００４５】
この転倒防止家具１ａでは、スライド背板２０を固定背板１０の裏面１０ｂに沿って上下方向１０１にスライドさせることにより、スリット２１の開口部２２を介して、連続する４つの固定穴１１を同時に露出させることなく、最多で連続する３つの固定穴１１を同時に露出させることができ、最少でも隣り合う２つの固定穴１１を同時に露出させることができる。このため、縦１０段の固定穴１１ａ〜１１ｊのうち、隣接する２段の固定穴１１のいずれか（たとえば１１ｆおよび１１ｇ）を用いることにより、縦２段、横２列の合計４個の固定穴１１でスライド背板２０を固定背板１０にバランスよく確実に固定できる。さらに、連接する３段の固定穴１１のいずれか（たとえば１１ｆ〜１１ｈ）を用いることにより、縦３段、横２列の合計６個の固定穴１１でスライド背板２０を固定背板１０にいっそう強固に固定できる。さらに、３穴以上４穴未満の固定穴１１を露出可能な程度に短縮化（小型化）された開口部２２でありながら、縦１０段の固定穴１１ａ〜１１ｊの全てを連続的に無段階で利用でき、固定穴１１同士の間隔（第１の距離）９１の段数倍以上、本例では１０倍以上のスライド量を確保できる。なお、スライド背板２０の上下方向１０１の距離が長くなる場合には、スライド背板２０を分割して上方１０１ａに継ぎ足すようにしてもよい。
【００４６】
さらに、この転倒防止家具１ａでは、スリット２１の開口部２２を介して、最少でも隣接する２段の固定穴１１を同時に露出させることができるので、スライド背板２０を固定する際に少なくとも縦２段の固定穴１１を用いることができる。このため、スライド背板２０に横１列（縦１本）のスリット２１を設けた場合、たとえばスライド背板２０が長尺（背高）で、スライド背板２０の左右方向１０３の幅が狭く横２列（縦２本）のスリット２１を設けることが困難な場合であっても、スライド背板２０を固定背板１０に上下方向１０１の２点（箇所）で常に安定的に固定できる。
【００４７】
なお、本例では、最多で連続する３つの固定穴１１を同時に露出させることができるように開口部２２の開口距離９０が設定されているが、連続する３つの固定穴１１が開口部２２を介して露出するように、隣接する固定穴１１同士の間隔（第１の距離）９１を設定してもよい。また、本例では、連続する４つの固定穴１１を同時に露出させないように開口部２２の開口距離９０が設定されているが、連続する４つの固定穴１１のうち、最上段の固定穴１１および最下段の固定穴１１のいずれかが開口部２２を介して非露出となるように、隣接する固定穴１１同士の間隔（第１の距離）９１を設定してもよい。また、本例では、最少でも２つの固定穴１１を露出させることができるように開口部２２の開口距離９０が設定されているが、少なくとも２つの固定穴１１が開口部２２を介して露出するように、隣接する固定穴１１同士の間隔（第１の距離）９１を設定してもよい。なお、その他の構成については上記実施形態と共通であるため、共通の符号を付して説明を省略する。以降の実施形態においても同様である。
【００４８】
図９に、第３の実施形態に係る転倒防止家具１ｂのスライド背板２０を第１の位置にスライドさせた様子を後方１０２ｂから見た図により示している。本例の固定背板１０は、固定背板１０の上端１５から下方向１０１ｂに第２の距離９２を隔てて配置された１段の固定穴１１ａを備えている。１段の固定穴１１ａは、左右方向１０３に互いに第３の距離９３を隔てて２列配置されている。
【００４９】
本例のスリット２１は、第２の距離９２よりも若干長い程度に上下方向１０１の開口の大きさが限定された開口部２２を備えている。すなわち、本例の開口部２２は、第２の距離９２の１．０倍よりも長く第２の距離９２の１．４倍よりも短い程度に上下方向１０１の開口距離９０が設計されている。開口部２２の開口距離９０は、第２の距離の１．３倍よりも短く設計されていることが好ましく、第２の距離の１．２倍よりも短く設計されていることがさらに好ましく、第２の距離の１．１倍よりも短く設計されていることがさらに好ましく、第２の距離９２の１．０倍に設計されていることが望ましい。スリット２１を固定背板１０の後方１０２ｂに隠しやすい。開口部２２の開口距離９０は、第２の距離９２よりも短く設計されていることがさらに望ましい。スライド背板２０を最上位の位置、すなわち固定穴１１ａが開口部２２の下端２２ｂに沿って露出する位置まで上昇させた場合であっても、収納ユニット６０の上方１０１ａにスリット２１が出ることを確実に防止できる。本例の開口部２２の下端２２ｂは、スライド背板２０の下端２６に達しており、下方１０１ｂに向けて開いている。このため、開口部２２の上端２２ａを上方１０１ａに延ばすことなく、開口距離９０を確保しやすい。
【００５０】
本例の固定ユニット５０のプレート５１は、全体が横長の長方形状であり、横２列の開口部２２を横断するように形成されている。本例のように縦１段、横２列の合計２個の固定穴１１でスライド背板２０を固定背板１０に固定する場合には、スライド背板２０の裏面２０ｂとプレート５１との間の摩擦力を向上させるため、本例のような横長のプレート５１を用いることにより、裏面１０ｂとプレート５１との接触面積を増加させることが望ましい。
【００５１】
図１０に、第４の実施形態に係る転倒防止家具１ｃを後方１０２ｂから見た斜視図により示している。本例の天板３２は、後方１０２ｂの固定背板１０と接する一部を上下方向１０１に貫く切り欠き３２ｂを備えている。切り欠き３２ｂは、スライド背板２０が貫通可能な程度に開口の大きさが限定されている。したがって、この転倒防止家具１ｃでは、スライド背板２０を天板３２の切り欠き３２ｂを通して収納ユニット６０の内部に挿入し、固定背板１０の表面１０ａに沿って（接触させて）上下方向１０１に移動（スライド）させることにより天井１００との間の距離９９を調整できる。本例のプレート５１は、全体が縦長の長方形状であり、４隅が折れ曲がった爪部５１ａを備えている。なお、プレート５１は、４隅を貫通する小孔を介して固定背板１０にネジ止めするようにしてもよい。プレート５１およびワッシャー５２は、固定背板１０との接触面積を増加させやすい形状であることが好ましく、固定背板１０の裏面１０ｂおよび表面１０ａに食い込む爪部を備えていることが望ましい。
【００５２】
図１１に、第５の実施形態に係る転倒防止家具１ｄの概略構成を縦断面図により示している。本例の固定背板１０は、ベース板３０に対して下方１０１ｂに突き出るようにＴ字型に取り付けられている。したがって、この転倒防止家具１ｄでは、固定背板１０を家具本体８０と壁９８との間に挟み込むように設置できるので、地震の際に収納ユニット６０が前方１０２ａに滑り落ちることを抑制できる。
【００５３】
図１２に、第６の実施形態に係る転倒防止家具１ｅの概略構成を縦断面図により示している。本例の固定背板１０も、ベース板３０に対して下方１０１ｂに突き出るようにＴ字型に取り付けられている。本例のスライド背板２０は、天板３２の切り欠き３２ｂを通して収納ユニット６０の内部に挿入されており、固定背板１０の表面１０ａに沿って上下方向１０１にスライドする。本例の受け板４０は、スライド背板２０の上端２５にスライド背板２０に対して前方１０２ａおよび後方１０２ｂに突き出るようにＴ字型に取り付けられている。
【００５４】
図１３に、第７の実施形態に係る転倒防止家具１ｆの概略構成を縦断面図により示している。この転倒防止家具１ｆは、家具本体８０の上に設置されるベース板３０と、ベース板３０に対して上方１０１ａに立ち上がるようにＬ字型に取り付けられた固定背板１０と、固定背板１０の裏面１０ｂに沿って上下方向１０１にスライドさせることにより天井１００との間の距離９９を調整するスライド背板２０と、所望の高さにスライドさせたスライド背板２０を固定背板１０に固定する固定ユニット５０とを備えている。この転倒防止家具１ｆでは、ベース板３０の上に他の小型家具（不図示）などを設置し、スライド背板２０の受け板４０により小型家具を上方１０１ａから挟んで固定することにより、小型家具の転倒防止としても利用できる。ベース板３０は家具本体８０の天板８１にネジ止めなどにより固定させてもよく、ベース板３０と天板８１との間に凹凸（ほぞ）を設けてもよく、転倒防止効果を向上させやすい。
【００５５】
図１４に、第８の実施形態に係る転倒防止家具１ｇの概略構成を縦断面図により示している。本例のスライド背板２０は、転倒防止家具１ｆとは異なり、固定背板１０の表面１０ａに沿って上下方向１０１にスライドする。
【００５６】
図１５に、第９の実施形態に係る転倒防止家具１ｈの概略構成を縦断面図により示している。本例の固定背板１０は、転倒防止家具１ｆとは異なり、ベース板３０に対して下方１０１ｂに突き出るようにＴ字型に取り付けられている。
【００５７】
図１６に、第１０の実施形態に係る転倒防止家具１ｉの概略構成を縦断面図により示している。本例のスライド背板２０は、転倒防止家具１ｈとは異なり、固定背板１０の表面１０ａに沿って上下方向１０１にスライドする。
【００５８】
図１７に、第１１の実施形態に係る転倒防止家具１ｊの概略構成を縦断面図により示している。この転倒防止家具１ｊは、家具本体８０の上に設置されるベース板３０と、ベース板３０に対して下方１０１ｂに垂れ下がるようにＬ字型に取り付けられた固定背板１０と、固定背板１０の裏面１０ｂに沿って上下方向１０１にスライドさせることにより天井１００との間の距離９９を調整するスライド背板２０と、所望の高さにスライドさせたスライド背板２０を固定背板１０に固定する固定ユニット５０とを備えている。
【００５９】
図１８に、第１２の実施形態に係る転倒防止家具１ｋの概略構成を縦断面図により示している。本例のスライド背板２０は、転倒防止家具１ｊとは異なり、ベース板３０を貫き、固定背板１０の表面１０ａに沿って上下方向１０１にスライドする。
【００６０】
図１９に、第１３の実施形態に係る転倒防止家具１ｌを前方１０２ａから見た図により示している。図２０に、転倒防止家具１ｌの概略構成を縦断面図（図１９のXX−XX断面）により示している。
【００６１】
この転倒防止家具１ｌは、床９７の上に設置された箱型の収納ユニット６０と、収納ユニット６０および壁９８の間に挟まれるように配置された上下逆Ｌ字型の第１の高さ調整ユニット７０ａおよび第２の高さ調整ユニット７０ｂとを備えている。
【００６２】
収納ユニット６０は、床９７の上に設置された平坦なベース板（底板）３０と、ベース板３０に対して垂直に取り付けられた長方形板状の第１の背板（固定背板、本体背板）１０と、ベース板３０および固定背板１０のそれぞれに対して垂直に取り付けられた左右一組の側板３１と、左右一組の側板３１のそれぞれに対して垂直に取り付けられた天板３２および開き戸（扉）３３とを備えている。
【００６３】
第１の高さ調整ユニット７０ａは、固定背板１０の後方１０２ｂの面（裏面、背面）１０ｂに沿って上下方向１０１に移動（スライド）させることにより天井１００との間の距離９９を調整する背高（長尺）で長方形板状（柱状）の第２の背板（移動背板、スライド背板）２０ｘと、スライド背板２０ｘの上端２５にスライド背板２０ｘに対して垂直に取り付けられたサポート板（受け板）４０とを備えている。本例のスライド背板２０ｘは、左右方向１０３の幅が１０ｃｍ程度と狭く、スリット２１が横に１列（縦に１本）配置されている。
【００６４】
第２の高さ調整ユニット７０ｂは、固定背板１０の裏面１０ｂに沿って上下方向１０１にスライドさせることにより天井１００との間の距離９９を調整する背低（短尺）で長方形板状のスライド背板２０ｙと、スライド背板２０ｙの上端２５にスライド背板２０ｙに対して垂直に取り付けられた受け板４０とを備えている。本例のスライド背板２０ｙは、第１の実施形態と同様に、スリット２１が横に２列（縦に２本）配置されている。
【００６５】
この転倒防止家具１ｌでは、固定背板１０に沿って背高のスライド背板２０ｘを上方１０１ａに押し上げることにより、受け板４０を天井１００に近接させた位置でスライド背板２０ｘを固定背板１０に固定できる。このため、地震などの際に収納ユニット６０が転倒することを抑制できる。さらに、この転倒防止家具１ｌでは、収納ユニット６０の天板３２の上に薄型テレビ８０ｘを設置し、背低のスライド背板２０ｙの受け板４０により薄型テレビ８０ｘの脚部８０ｙを上方１０１ａから挟んで固定することにより、薄型テレビ８０ｘの転倒も抑制できる。
【００６６】
図２１に、第１４の実施形態に係る転倒防止家具１ｍを前方１０２ａから見た斜視図により示している。図２２に、転倒防止家具１ｍの概略構成を縦断面図により示している。
【００６７】
この転倒防止家具１ｍは、スタンドアロンタイプであり、床９７の上に設置された収納ユニット６０と、収納ユニット６０および壁９８の間に挟まれるように配置された高さ調整ユニット７０とを備えている。
【００６８】
収納ユニット６０は、全体が箱型であり、床９７の上に水平に設置された平坦な底板（第１のベース板）３０と、第１のベース板３０と対峙する天板（第２のベース板）３２と、第１および第２のベース板３０および３２のそれぞれに対して垂直に取り付けられた左右一組の側板３１、開き戸３３および背板３４とを備えている。
【００６９】
高さ調整ユニット７０は、収納ユニット６０の第１および第２のベース板３０および３２に対して垂直に取り付けられた長方形板状の第１の背板（固定背板）１０と、固定背板１０の裏面１０ｂに沿って上下方向１０１にスライドさせることにより天井１００との間の距離９９を調整する長方形板状の第２の背板（スライド背板）２０と、スライド背板２０を左右方向１０３から挟むように配置された左右一組のガイド板３５と、天井１００に当てることにより天井１００に対して平行に配置されるようにスライド背板２０に対して傾き可能に支持された受け板４０ａとを備えている。
【００７０】
この転倒防止家具１ｍでは、固定背板１０が収納ユニット６０の上下２枚のベース板３０および３２に対して垂直に取り付けられている（ねじ止めされている）。このため、収納ユニット６０の背板３４を一切傷付けることなく、固定背板１０を収納ユニット６０に対していっそう強固に固定できる。さらに、この転倒防止家具１ｍでは、固定背板１０の下端１６が床９７に接触するように配置されている。このため、転倒モーメント１１０に対抗する抵抗モーメント１２０を固定背板１０を介して直に床９７に供給できる。したがって、収納ユニット６０の転倒防止効果をさらに向上できる。
【００７１】
本例の固定背板１０およびスライド背板２０は、収納ユニット６０の第１および第２のベース板３０および３２よりも左右方向１０３に幅狭に形成されている。本例では、固定背板１０およびスライド背板２０の左右方向１０３の幅は１０〜１５ｃｍ程度である。このため、第１および第２の背板１０および２０を目立ちにくくでき、すっきりとした外観の転倒防止家具１ｍを提供できる。さらに、固定背板１０は収納ユニット６０よりも背高であり、天板３２よりも上方１０１ａに突き出るように配置されている。このため、スライド背板２０を固定背板１０に沿って上昇させてもスリット２１が表れることを抑制できる。したがって、スリット２１がユーザーの視野に入ることを抑制でき、転倒防止家具１ｍの美観を向上できる。
【００７２】
本例の受け板４０ａは、全体が左右方向１０３に延びた幅広のＬ字型であり、天井１００と対峙する平坦な上面４１と、壁９８と対峙する平坦な背面４２と、スライド背板２０に対して可動（フリー）となるように上端２５に傾き可能に載せられた（嵌め込まれた）凹部４３とを備えている。このため、スライド背板２０を上方１０１ａに押し上げ、受け板４０ａの上面４１を天井１００に当てることにより、上面４１を天井１００の傾斜に合わせて受け板４０ａをセットできる。したがって、受け板４０ａを隙間なく天井１００に密着させることができるため、見栄えがよく、さらに、受け板４０ａと天井１００との接触面積を増加させやすく、転倒防止効果も向上させやすい。なお、受け板４０ａは、上面４１が天井１００に対して平行に配置された状態で木ネジ（不図示）などによりスライド背板２０に固定すればよい。
【００７３】
本例の固定穴１１は非貫通状であり、固定ユニット５０は、固定穴１１に埋め込まれたインサートナット（鬼目ナット）５４ａと、スライド背板２０の裏面２０ｂとの間に横長のプレート５１を挟んで開口部２２を介してインサートナット５４ａに締め付け固定されたボルト５３とを備えている。このため、固定背板１０の表面１０ａに固定穴１１が表れることがなく、さらに、固定背板１０の表面１０ａからナットなどの締結部品を省略できる。したがって、転倒防止家具１ｍの美観を向上できる。なお、固定背板１０の表面１０ａの側から目立たない木ネジ５５によりスライド背板２０を固定し、固定背板１０とスライド背板２０との連結を補強してもよい。
【００７４】
図２３に、第１５の実施形態に係る転倒防止家具１ｎの概略構成を縦断面図により示している。図２４に、転倒防止家具１ｎの概略構成を横断面図（図２３のXXIV−XXIV断面）により示している。
【００７５】
この転倒防止家具１ｎは、家具本体８０の天板８１の上に水平に設置された平坦な長方形板状のベース板３０と、ベース板３０の天井１００と対峙する上面３０ａに対して垂直に取り付けられた長方形板状の第１の背板（固定背板）１０と、固定背板１０の裏面１０ｂに沿って上下方向１０１にスライドさせることにより天井１００との間の距離９９を調整する長方形板状の第２の背板（スライド背板）２０と、スライド背板２０を左右方向１０３から挟むように配置された左右一組のガイド板３５と、天井１００に当てることにより天井１００に対して平行に配置されるようにスライド背板２０に対して傾き可能に支持された受け板４０ａとを備えている。
【００７６】
この転倒防止家具１ｎでは、固定背板１０の下端１６が、ベース板３０の前方１０２ａの端部（前端）３８よりも後方１０２ｂの端部（後端）３９の側に近接した位置に上面３０ａに対して直に固定されている。すなわち、固定背板１０の下端１６は、ベース板３０の後端３９に接することなく、後端３９から距離を隔てた中央寄りの位置に配置されている。このため、スライド背板２０の下端２６をベース板３０の上面３０ａと対峙するように配置できる。したがって、固定背板１０およびスライド背板２０を、ベース板３０から前後方向１０２および左右方向１０３にはみ出さないように配置できる。このため、固定背板１０およびスライド背板２０がベース板３０の上方１０１ａに配置された（載った）、逆Ｔ字型の安定感のあるデザインの転倒防止家具１ｎを提供できる。
【００７７】
さらに、この転倒防止家具１ｎでは、スライド背板２０を支持する固定背板１０が、ベース板３０の後端３９から距離を隔てた中央寄りの位置に配置されている。このため、転倒モーメント１１０に対抗する抵抗モーメント１２０を、ベース板３０の後端３９に集中させることなく上面３０ａの中央寄りの位置に供給できる。したがって、抵抗モーメント１２０に伴う外力を、ベース板３０を介して家具本体８０の天板８２に対して均等に分散して伝達させやすい。このため、地震などの際に家具本体８０の転倒を効果的に抑制できる。さらに、ベース板３０のガタツキや振動を抑制でき、ベース板３０が家具本体８０の天板８２から脱落することも抑制できる。
【００７８】
さらに、この転倒防止家具１ｎでは、固定背板１０がベース板３０の後端３９から距離を隔てた中央寄りの位置に配置されている。このため、転倒防止家具１ｎの重心の位置をベース板３０の後端３９よりも中央近傍の位置にシフトさせることができる。したがって、スライド背板２０の重みで転倒防止家具１ｎが後方１０２ｂに転倒したり、ベース板３０の前端３８が浮き上がったりすることを防止でき、転倒防止家具１ｎを安定的に設置できる。
【００７９】
さらに、この転倒防止家具１ｎでは、スライド背板２０をベース板３０の後端３９からはみ出さないように配置できる。このため、ベース板３０の後端３９を壁９８に接触させても、スライド背板２０と壁９８との間に空間９６を形成できる。したがって、スライド背板２０の後方１０２ｂかつベース板３０の上方１０１ａの空間９６を利用することにより、胴縁９８ａや鴨居９８ｂなどの構造物を避けて、家具本体８０の上に転倒防止家具１ｎを設置できる。このため、家具本体８０が設置される様々な設置空間（設置環境）に適応可能なユニバーサルデザイン化された転倒防止家具１ｎを提供できる。さらに、この転倒防止家具１ｎでは、固定背板１０および／またはスライド背板２０が家具本体８０と壁９８との間に挟まれることがない。したがって、家具本体８０の背面８２を壁９８に密着させた状態で、家具本体８０の上に転倒防止家具１ｎを設置できる。
【００８０】
さらに、この転倒防止家具１ｎにおいても、スライド背板２０が固定背板１０の後方１０２ｂを上下方向１０１にスライドするため、スライド背板２０を上昇させてもスリット２１が前方１０１ａに表れることを抑制でき、スリット２１がユーザーの視野に入ることを抑制できる。また、固定背板１０の表面１０ａに固定穴１１が表れることがなく、固定背板１０の表面１０ａから締結部品を省略できるため、転倒防止家具１ｎの美観を向上できる。
【００８１】
本例の一組のガイド板３５は、固定背板１０の裏面１０ｂの左右両サイドに取り付けられ、固定背板１０とベース板３０とを直角に連結するようにベース板３０の上面３０ａに直に固定されている。このため、固定背板１０とベース板３０との接合箇所を強固に補強できる。したがって、地震などの際に固定背板１０が前後方向１０２に倒れることを防止でき、スライド背板２０が左右方向１０３に脱落することも抑制できる。さらに、固定背板１０および一組のガイド板３５は、全体が平面視コ字型となるように配置されている。したがって、スライド背板２０が左右方向１０３に剥き出しの状態で露出することを抑制でき、転倒防止家具１ｎの美観を向上できる。なお、その他の構成については上記実施形態と共通であるため説明を省略する。
【００８２】
なお、本発明はこれらの実施形態に限定されず、特許請求の範囲に規定されたものを含む。また、本発明に係る転倒防止家具は、スライド背板（第２の背板）２０が、上下方向１０１に配置された少なくとも１段の固定穴（第１の穴）１１を含み、固定背板（第１の背板）１０が、開口部２２が上下方向１０１に延びたスリット２１を備えているものであってもよい。また、本発明に係る転倒防止家具は、屋内（室内）のみならず屋外（室外）にも設置可能である。
【符号の説明】
【００８３】
１、１ａ〜１ｎ  転倒防止家具
１０  第１の背板（固定背板）
２０  第２の背板（スライド背板）
３０  ベース板
５０  固定ユニット
【図１】
2014004340.tif 000003
【図２】
2014004340.tif 000004
【図３】
2014004340.tif 000005
【図４】
2014004340.tif 000006
【図５】
2014004340.tif 000007
【図６】
2014004340.tif 000008
【図７】
2014004340.tif 000009
【図８】
2014004340.tif 000010
【図９】
2014004340.tif 000011
【図１０】
2014004340.tif 000012
【図１１】
2014004340.tif 000013
【図１２】
2014004340.tif 000014
【図１３】
2014004340.tif 000015
【図１４】
2014004340.tif 000016
【図１５】
2014004340.tif 000017
【図１６】
2014004340.tif 000018
【図１７】
2014004340.tif 000019
【図１８】
2014004340.tif 000020
【図１９】
2014004340.tif 000021
【図２０】
2014004340.tif 000022
【図２１】
2014004340.tif 000023
【図２２】
2014004340.tif 000024
【図２３】
2014004340.tif 000025
【図２４】
2014004340.tif 000026